(57)【要約】【課題】ディスクの取り出し時などにおいて、光ピックアップが外部に露出しても、搭載された光学センサの保護、および不用意な光ビームの外部への出射を防止して、光学センサの誤検出を防ぎ、高品質な記録／再生を常に実現できるようにすると共に、ユーザに対する光ビームの被爆を防止する。【解決手段】イジェクトボタン２６を押すと、ディスクトレイ１３が装置本体外部に出るように駆動され、同時に移動機構１７が始動して光ピックアップ１５を移動させる。このとき光ピックアップ１５は、チルトセンサ２１と共に移動し、チルトセンサ２１が長孔２２から外れたカバー板２０の下部における退避位置まで移動して停止する。【選択図】    図１
2004273090.tif 000002
【特許請求の範囲】
【請求項１】
記録媒体が設置されるディスクトレイに、光ビームを対物レンズによって集光させ前記記録媒体に対して光学的に記録／再生を行う光ピックアップと、この光ピックアップを前記記録媒体の記録面に沿って移動させる移動機構とを設け、前記ディスクトレイを装置本体に対して出入可能に設置してなる記録／再生装置において、
前記記録媒体と前記対物レンズとの角度を検知するための光学センサを光ピックアップに設置し、前記ディスクトレイと共に前記光ピックアップが前記装置本体から外部に出るときに、前記光学センサを外部に対して遮蔽する遮蔽手段を備えたことを特徴とする記録／再生装置。
【請求項２】
前記光学センサによって得られた情報に基づいて、前記記録媒体と前記対物レンズとの角度が所定の角度範囲内にあるように制御するチルト制御機構を備えたことを特徴とする請求項１記載の記録／再生装置。
【請求項３】
前記光ピックアップの一部を覆うように設けられたカバー体の一部を遮蔽部として設定し、前記光ピックアップが前記装置本体から外部に出る前に、前記光学センサを前記遮蔽部に移動させることを特徴とする請求項１記載の記録／再生装置。
【請求項４】
前記光ピックアップの一部を覆う前記ディスクトレイの一部を遮蔽部として設定し、前記光ピックアップが前記装置本体から外部に出る前に、前記光学センサを前記遮蔽部に移動させることを特徴とする請求項１記載の記録／再生装置。
【請求項５】
前記遮蔽部を、前記光ピックアップの移動方向における内方側あるいは外方側に設定したことを特徴とする請求項３または４記載の記録／再生装置。
【発明の詳細な説明】
【０００１】
【発明の属する技術分野】
本発明は、記録媒体が設置されるディスクトレイに、光ビームを対物レンズによって集光させ記録媒体に対して光学的に記録および／または再生（記録／再生と記す）を行う光ピックアップが設けられ、かつ記録媒体と対物レンズとの角度を検知するための光学センサが備えられた記録／再生装置に関するものである。
【０００２】
【従来の技術】
図９は一般的な光ピックアップの構成図であり、半導体レーザユニット１ａ，１ｂから出射する光ビームは、コリメートレンズ２ａ，２ｂにより平行光にされて、ビームスプリッタ３を経て対物レンズ４により集光され、記録媒体である光ディスク５上に微小な光スポットとして照射される。また、光ディスク５からの反射光は、対物レンズ４，ビームスプリッタ３を経て、半導体レーザユニット１ａ，１ｂの内部に再び戻ってくる。半導体レーザユニット１ａ，１ｂの内部に戻ってきた光ディスク５からの反射光は、半導体レーザユニット１ａ，１ｂに設けられているホログラム素子によって回折され、図示しない受光素子に集光されて光電変換された信号が演算され、制御信号，記録／再生信号として出力される。
【０００３】
前記信号によって光スポットの位置制御が行われ、光スポットの位置制御情報が、対物レンズ４を搭載しているアクチュエータ（図示せず）にフィードバックされることにより、常に適正なフォーカシング，トラッキングが行われる。
【０００４】
対物レンズ４は、一般的にアクチュエータに設けられてフォーカス方向，トラック方向のみに可動になっており、光ピックアップ組み立て時にアクチュエータそのものに対して傾き調整が行われた後、光ピックアップに組み込まれて固定される。このように従来では、一般的な構成では、光ディスク５と対物レンズ４との角度補正は行われず、記録／再生が前記のような初期調整の状態のままで行われていた。
【０００５】
しかし、近年、光ディスクの高密度化により、光ディスクと対物レンズの角度マージンが減少し、個々の光ディスク、あるいは光ディスク面内においても個別に傾き補正を行うことが必要になってきた。
【０００６】
このため、特許文献１に記載されているように、光ディスクと光ピックアップの角度を検出するチルトセンサ（光学センサ）を、別途、光ピックアップ上に設け、光学センサからの出力をモニタして、その情報によって対物レンズまたは光ピックアップ全体を傾け、常に光ディスクとの関係を最適に保つようにする構成が採用される傾向にある。
【０００７】
前記光学センサは、一般的に、内部に設けられた発光素子としてレーザダイオードを発光させ、光ディスクからの反射光における光学的変化を同じく内部に設けられたフォトダイオードなどからなる受光素子により検出して、光電変換した後、適宜演算してチルト角度を検知するためのものである。
【０００８】
【特許文献１】
特開２００２−２５１７６０号公報
【特許文献２】
特開２００２−１２４０７１号公報
【０００９】
【発明が解決しようとする課題】
しかしながら、従来の一般的な光学センサは、その構造上、表面に付着する汚れにより不具合を発生しやすく、特にノート型パーソナルコンピュータなどに搭載され、光ピックアップが装置外部に露出する構成であるドライブ内蔵ディスクトレイ（特許文献２参照）に光学センサが設けられている場合には、塵埃などが付着する可能性が高く、その付着によってセンサ動作誤差、あるいは出力オフセットが発生し、書き込み品質の低下が懸念される。
【００１０】
さらに、光ピックアップが光学センサと共に装置外部に露出する場合には、光学センサを構成するレーザダイオードからの光ビームがユーザの目に入るなどの被爆のおそれがある。
【００１１】
本発明は、前記従来の課題を解決し、ディスクの取り出し時などにおいて、光ピックアップが外部に露出しても、搭載された光学センサの保護、および不用意な光ビームの外部への出射を防止して、光学センサの誤検出を防ぎ、高品質な記録／再生を常に実現できるようにすると共に、ユーザに対する光ビームの被爆を防止することができるようにした記録／再生装置を提供することを目的とする。
【００１２】
【課題を解決するための手段】
前記目的を達成するため、請求項１に記載の発明は、記録媒体が設置されるディスクトレイに、光ビームを対物レンズによって集光させ前記記録媒体に対して光学的に記録／再生を行う光ピックアップと、この光ピックアップを前記記録媒体の記録面に沿って移動させる移動機構とを設け、前記ディスクトレイを装置本体に対して出入可能に設置してなる記録／再生装置において、前記記録媒体と前記対物レンズとの角度を検知するための光学センサを光ピックアップに設置し、前記ディスクトレイと共に前記光ピックアップが前記装置本体から外部に出るときに、前記光学センサを外部に対して遮蔽する遮蔽手段を備えたことを特徴とする。
【００１３】
請求項２に記載の発明は、請求項１記載の記録／再生装置において、光学センサによって得られた情報に基づいて、記録媒体と対物レンズとの角度が所定の角度範囲内にあるように制御するチルト制御機構を備えたことを特徴とする。
【００１４】
請求項３に記載の発明は、請求項１記載の記録／再生装置において、光ピックアップの一部を覆うように設けられたカバー体の一部を遮蔽部として設定し、光ピックアップが装置本体から外部に出る前に、光学センサを遮蔽部に移動させることを特徴とする。
【００１５】
請求項４に記載の発明は、請求項１記載の記録／再生装置において、光ピックアップの一部を覆うディスクトレイの一部を遮蔽部として設定し、光ピックアップが装置本体から外部に出る前に、光学センサを遮蔽部に移動させることを特徴とする。
【００１６】
請求項５に記載の発明は、請求項３または４項記載の記録／再生装置において、遮蔽部を、光ピックアップの移動方向における内方側あるいは外方側に設定したことを特徴とする。
【００１７】
前記各構成によって、光学センサが光ピックアップと共に装置外部に露出するような構成の記録／再生装置であっても、光学センサが外部に対して遮蔽されて塵埃などが付着しないように保護されるため、汚れなどによるセンサ誤作動の発生が簡単な構成でかつ確実に防ぐことができ、しかも、光学センサから光ビームが不用意に外部に出射されることも防ぐことができ、よって、安価で小型の高密度記録に対応した記録／再生品質が安定して得られる。
【００１８】
【発明の実施の形態】
以下、本発明の実施形態を図面を参照して説明する。
【００１９】
図１は本発明の実施形態を説明するための光ディスク装置の分解斜視図であり、１１は板金製の下ケース、１２は、下ケース１１に取り付けられ、下ケース１１の上部開口を覆って装置本体を構成する上ケース、１３は、記録媒体である光ディスク（図示せず）が設置されるディスクトレイであって、下ケース１１の両側に設置された一対のレール部材１４によって、光ディスクが排出される位置とローディングされる位置との間を往復可能かつ摺動可能に案内される。
【００２０】
ディスクトレイ１３における中央孔部１３ａの下部には、図９にて説明した構成であって、光ビームを光ディスクに対して集光して光学的に記録／再生を行う光ピックアップ１５と、光ディスクを回転駆動させるスピンドルモータ１６と、記録／再生時に光ピックアップ１５を光ディスクの半径方向へ移動させる移動機構１７などからなるユニット体１８が設置され、ユニット体１８はディスクトレイ１３の下面を覆う板金製の底板部材１９を介してディスクトレイ１３に保持される。
【００２１】
ディスクトレイ１３の中央孔部１３ａは、スピンドルモータ１６におけるディスクチャッキング部と、光ピックアップ１５の移動領域とを除いてカバー板２０によって覆われている。また、カバー板２０には、光ピックアップ１５の上部に設置された光学センサであるチルトセンサ２１の光入出射用の長孔２２が設けられている。チルトセンサ２１は、レーザダイオードなどからなる発光素子２３とフォトダイオードなどからなる受光素子２４にて構成されている。
【００２２】
ディスクトレイ１３の前方には、ディスクトレイ１３のイジェクト時に押されるイジェクトボタン２６を設けたフロントパネル２５が付設されている。イジェクトボタン２６を押すことにより、ディスクトレイ１３は駆動されて、装置本体内のローディング位置と装置本体外部の排出位置との間を移動する。
【００２３】
図２は本実施形態におけるユニット体の平面状態を示す斜視図であり、２７は第１のシャーシ、２８は第１のシャーシ２７に接合固定する第２のシャーシ、２９は光ピックアップ１５のディスク半径方向への移動を案内するガイド軸、３０は、ガイド軸２９に平行に配置されて、光ピックアップ１５を移動駆動させるリードスクリュー、３１は、リードスクリュー３０を駆動し、ガイド軸２９とリードスクリュー３０とにより光ピックアップ１５の移動機構１７を構成する駆動モータである。
【００２４】
前記構成の実施形態では、記録／再生時には、光ピックアップ１５は移動機構１７により、図３に示すように、光ディスクの径方向を移動し、チルトセンサ２１も光ピックアップ１５と共に光ディスクの径方向を移動する。チルトセンサ２１は、発光素子２３から光ディスクに光出射して光ディスクからの反射光を受光素子２４にて受光することにより、光ディスクの記録面における各部位において、光ディスクと光ピックアップ１５における対物レンズとの傾き制御信号（チルト調整信号）を検出する。
【００２５】
前記傾き制御信号により、図示しないチルト制御機構を駆動し、例えば対物レンズを具備する光ピックアップ１５と、光ディスクが載置されるチャッキング部を具備するスピンドルモータ１６との相対的傾き調整を行い、これによって光ディスクに対する対物レンズのチルト角度が許容角度範囲内に入るように角度調整される。
【００２６】
本実施形態では、光ピックアップ１５は、移動機構１７により駆動されて、図４に示すように、チルトセンサ２１が長孔２２から外れたカバー板２０の下部に退避する位置まで移動するようになっている。図４に示す状態でチルトセンサ２１がカバー板２０にて外部に対して遮蔽されることにより、発光素子２３および受光素子２４が保護され、またチルトセンサ２１は発光素子２３から外部へ光出射しないように光遮断される。
【００２７】
本実施形態の構成では、イジェクト時にディスクトレイ１３が装置本体外部へ出るときに、光ピックアップ１５も同時に装置本体外部に露呈する構成であるため、何等かの保護手段を講じなければ、ユーザが不用意にチルトセンサ２１に触れたり、塵埃などが付着したりするおそれがある。このため、ディスクトレイ１３が装置本体外部に出るときに、チルトセンサ２１を、前記のようにカバー板２０の下部へ移動させ、外部に対して遮蔽状態に維持することにより、センサ（発光素子２３，受光素子２４）に対する汚れ，塵埃の付着を防ぐことができ、さらに、発光素子２３から外部へ光出射しないように光遮断してユーザに対する被爆保護を図ることができる。
【００２８】
このようにして本実施形態では、従来装置に新たな部材の追加をすることなく、センサの動作誤差，オフセットの発生を低減することができ、安全で、かつ安定して高品質の記録／再生が可能となる。
【００２９】
図５は本実施形態におけるチルトセンサ遮蔽に関する制御系の概略構成を示すブロック図であり、３３は、各種センサ３４，イジェクトボタン２６のオン信号などの信号が入力され、各部に対してコントロール信号を出力する制御手段であるＣＰＵ（中央演算処理部）、３５は光ピックアップ１５を移動させる移動機構１７を駆動するピックアップ移動機構駆動部である。
【００３０】
本実施形態におけるチルトセンサ遮蔽動作を図６のフローチャートを参照して説明する。本実施形態では、ＣＰＵ３３が、イジェクトボタン２６のオン信号を受けると（Ｓ１のＹＥＳ）、ディスクトレイ１３が装置本体外部に出るように駆動信号を出力する。これと同時にピックアップ移動機構駆動部３５に対しても駆動信号を出力して移動機構１７を始動させ、光ピックアップ１５を移動させる（Ｓ２）。光ピックアップ１５は、チルトセンサ２１と共に移動して、図４に示すように、チルトセンサ２１が長孔２２から外れたカバー板２０の下部における退避位置（センサ遮蔽部）まで移動して停止する（Ｓ３）。
【００３１】
なお、図４に示す構成では、カバー板２０におけるセンサ遮蔽位置を、光ピックアップ１５の移動方向における内方側に設定しているが、図７に示すように、カバー板２０におけるセンサ遮蔽位置を、光ピックアップ１５における外方側に設定してもよい。
【００３２】
また、センサ遮蔽位置は、光ピックアップ１５の移動可能範囲によっては、図８に示すように、カバー板２０の設置範囲外のディスクトレイ１３における外周側に設定したり、あるいは内周側に設定したりすることも考えられる。
【００３３】
また、前記のようにセンサ遮蔽位置の設定に応じて、チルトセンサ２１の光ピックアップ１５における設置位置を適宜変更する。
【００３４】
【発明の効果】
以上説明したように、本発明によれば、光学センサが光ピックアップと共に装置外部に露出するような構成の記録／再生装置であっても、光学センサが外部に対して遮蔽されて塵埃などが付着しないように保護されるため、汚れなどによるセンサ誤作動の発生を簡単な構成でかつ確実に防止することができ、しかも、光学センサから光ビームが不用意に外部に出射されることも防止することができるため、安価で小型の高密度記録に対応した記録／再生品質が安定して得られ、信頼性と安全性に優れた記録／再生装置を提供することができる。
【図面の簡単な説明】
【図１】本発明の実施形態を説明するための光ディスク装置の分解斜視図
【図２】本実施形態におけるユニット体の平面状態を示す斜視図
【図３】本実施形態における記録／再生時の光ピックアップの動作を説明するための要部を示す平面図
【図４】本実施形態におけるセンサ遮蔽時の要部を示す平面図
【図５】本実施形態におけるチルトセンサ遮蔽に関する制御系の概略構成を示すブロック図
【図６】本実施形態におけるチルトセンサ遮蔽動作に関するフローチャート
【図７】本実施形態におけるセンサ遮蔽部の他例を説明するための平面図
【図８】本実施形態におけるセンサ遮蔽部の他例を説明するための平面図
【図９】一般的な光ピックアップの光学系の構成図
【符号の説明】
１３  ディスクトレイ
１５  光ピックアップ
１６  スピンドルモータ
１７  移動機構
２０  カバー板
２１  チルトセンサ
２２  長孔
２６  イジェクトボタン
３３  ＣＰＵ
３５  ピックアップ移動機構駆動部
【図１】
2004273090.tif 000003
【図２】
2004273090.tif 000004
【図３】
2004273090.tif 000005
【図４】
2004273090.tif 000006
【図５】
2004273090.tif 000007
【図６】
2004273090.tif 000008
【図７】
2004273090.tif 000009
【図８】
2004273090.tif 000010
【図９】
2004273090.tif 000011